(57)【要約】【課題】本発明は、撮影レンズ装置に安定して装着することができるパターンプロジェクタを提供する。【解決手段】本発明のパターンプロジェクタ１０は、環状装着部５６を締付リング６４によって縮径したときに、すり割り６０、６０…によって変形する部分が、環状装着部５６だけではなく、すり割り６０、６０…が環状装着部５６から連結環５８にわたって長く形成されていることから、連結環５８を含めて変形する。これにより、環状装着部５６が縮径していく際の環状装着部５６の回動半径Ｒが長くなるので、環状装着部５６は、レンズ装置１２の鏡胴前端部１３に対して面接触する元の姿勢を保持した状態で縮径していく。したがって、レンズ装置１２に対する環状装着部５６の圧接部が面接触となるので、パターンプロジェクタ１０をレンズ装置１２に安定して装着することができる。【選択図】        図１
2004309649.tif 000002
【特許請求の範囲】
【請求項１】
テストパターン板と、該テストパターン板を照射する光源と、該光源で照射され前記テストパターン板を透過した透過光を撮影レンズ装置に導く投影レンズとが取り付けられた筒状のプロジェクタ本体を有し、該プロジェクタ本体の端部には、プロジェクタ本体を前記撮影レンズ装置に装着するための環状装着部が形成されたパターンプロジェクタにおいて、
該パターンプロジェクタには、前記プロジェクタ本体の口径と前記環状装着部の口径との差を吸収する形状の連結環が設けられ、
前記環状装着部から前記連結環にわたって、複数本のすり割りが所定の間隔をもって形成されるとともに、該すり割りから入射する外来光を遮光する遮光部材が設けられ、
前記環状装着部には、該環状装着部を縮径して該環状装着部を前記撮影レンズ装置に圧接させる圧接部材が取り付けられていることを特徴とするパターンプロジェクタ。
【請求項２】
前記遮光部材は、前記連結環の内側に取り付けられた遮光板であることを特徴とする請求項１に記載のパターンプロジェクタ。
【請求項３】
前記遮光部材は、前記すり割りの可撓性に影響を与えない間隔をもって前記連結環に対し離間して設けられたことを特徴とする請求項１又は２に記載のパターンプロジェクタ。
【発明の詳細な説明】
【０００１】
【発明の属する技術分野】
本発明はパターンプロジェクタに係り、特に映画撮影用に使用されるシネマ用レンズ装置のフランジバックを調整する際に使用されるパターンプロジェクタに関する。
【０００２】
【従来の技術】
映画撮影に使用されるシネマ用カメラは、撮影状況に応じて多種類のレンズ装置（例えばズームレンズを有するレンズ装置、短焦点のレンズ装置）が頻繁に交換されて使用される。
【０００３】
このレンズ交換時に、レンズ装置側及びカメラ側の誤差等によって、工場出荷時に合わせたフランジバックの位置がズレてしまう場合がある。このような場合には、本願出願人が特願２００２−３２０７１５号にて提案したように、レンズ装置の前端部にパターンプロジェクタを装着し、その際に撮像されるジーメンススター等のパターンを電子ファインダやディスプレイで見ながら、レンズ装置のマスターレンズを光軸方向に前後移動させ、ピントを合わせることによりフランジバック調整を実施する。
【０００４】
パターンプロジェクタは、ジーメンススター等のパターンが印刷されたテストパターン板、テストパターン板を照射する光源、及び光源で照射されテストパターン板を透過した透過光をレンズ装置に導く投影レンズ等を有し、これらの光学部品は筒状に形成されたプロジェクタ本体に内蔵されている（例えば、特許文献１参照）。
【０００５】
ところで、図７の如くパターンプロジェクタ１には、撮影レンズ２の前端部２Ａに装着される環状の装着部３がプロジェクタ本体４と一体又は着脱式のアダプタとして設けられている。この装着部３の口径は、一般的にプロジェクタ本体４の口径よりも大きめに形成され、また、それらの口径差を吸収するように装着部３は、略円錐形状に形成された連結環５を介してプロジェクタ本体４に設けられている。
【０００６】
装着部３には、所定範囲の口径寸法の撮影レンズでも対応できるように、複数本のすり割り６、６…がプロジェクタ本体４の軸方向に沿って形成され、装着部３の口径が拡縮可能となっている。また、装着部３の外周部には、Ω状に形成された締付リング（不図示）が装着され、締付リングの一対の離間部をボルトによって締め付けて近づけることにより、装着部３が図７上で二点鎖線で示す元の状態から実線で示す状態に縮径されて装着部３が撮影レンズ２の鏡胴２Ｂに圧接される。これによって、パターンプロジェクタ１が撮影レンズ２に装着される。
【０００７】
【特許文献１】
特開平５−１９１８４０号公報（第２頁  図１）
【０００８】
【発明が解決しようとする課題】
ところで、図７に示した従来のパターンプロジェクタ１は、締付リングを締め付けた際に、すり割り６によって変形する部分は、すり割り６が形成されている装着部３のみである。したがって、小さめの口径のレンズ装置にパターンプロジェクタ１を装着し、締付リングを締め付けると、装着部２が連結環５との境界部７を支点として折れるように撓む。これにより、レンズ装置２に対する装着部２の圧接部８は、その周面において線接触となるので、パターンプロジェクタ１をレンズ装置２に安定して装着することができないという欠点があった。
【０００９】
本発明は、このような事情に鑑みてなされたもので、撮影レンズ装置に安定して装着することができるパターンプロジェクタを提供することを目的とする。
【００１０】
【課題を解決するための手段】
本発明は、前記目的を達成するために、テストパターン板と、該テストパターン板を照射する光源と、該光源で照射され前記テストパターン板を透過した透過光を撮影レンズ装置に導く投影レンズとが取り付けられた筒状のプロジェクタ本体を有し、該プロジェクタ本体の端部には、プロジェクタ本体を前記撮影レンズ装置に装着するための環状装着部が形成されたパターンプロジェクタにおいて、該パターンプロジェクタには、前記プロジェクタ本体の口径と前記環状装着部の口径との差を吸収する形状の連結環が設けられ、前記環状装着部から前記連結環にわたって、複数本のすり割りが所定の間隔をもって形成されるとともに、該すり割りから入射する外来光を遮光する遮光部材が設けられ、前記環状装着部には、該環状装着部を縮径して該環状装着部を前記撮影レンズ装置に圧接させる圧接部材が取り付けられていることを特徴としている。
【００１１】
本発明によれば、環状装着部を圧接部材によって縮径したときに、すり割りによって変形する部分が、環状装着部だけではなく、すり割りが環状装着部から連結環にわたって長く形成されていることから、連結環を含めて変形する。これにより、環状装着部が縮径していく際の環状装着部の回動半径（≒すり割りの長さ）が、図７に示した従来のパターンプロジェクタと比較して長くなるので、環状装着部は、撮影レンズ装置に対して面接触する元の姿勢を保持した状態で縮径していく。これにより、撮影レンズ装置に対する環状装着部の圧接部が面接触となるので、パターンプロジェクタを撮影レンズ装置に安定して装着することができる。但し、単純にすり割りの長さを長くして連結環にまでわたって形成すると、連結環はパターンプロジェクタの口径と撮影レンズの口径との差を吸収するためのものであるので、この部分の内側にはパターンプロジェクタ、撮影レンズ等が存在せず、すり割りから入射した外来光がフランジバック調整に悪影響を与えてしまう。
【００１２】
そこで、本発明によれば、連結環に形成したすり割りから入射する外来光を遮光部材によって遮光している。詳しく説明すると、すり割りにおいて、環状装着部に形成されたすり割りは、環状装着部が撮影レンズ装置に圧接されることから、撮影レンズ装置が遮光部材として機能するので、このすり割りからは外来光は入射しない。しかしながら、連結環の内側には何も存在しないため、連結環に形成されたすり割りからは外来光が入射し、これが撮影レンズに入射してフランジバック調整に悪影響を与える。そこで、本発明は、連結環に形成したすり割りから入射する外来光を、遮光部材によって遮光した。したがって、フランジバック調整を正確に実施できる。
【００１３】
また、本発明によれば、前記遮光部材は、前記連結環の内側に取り付けられた遮光板であることを特徴としている。遮光部材を連結環の外側に設けた場合、パターンプロジェクタが大型になり、また、取り扱い時に遮光部材が他の部材に引っ掛かる等して邪魔になる場合があるので取り扱いに難がある。これに対して、遮光部材を連結環の内側に設けた本発明は、パターンプロジェクタの小型化を計ることができ、かつ、外部に露出していないので他の部材に引っ掛かることはなく取り扱いが容易になる。
【００１４】
更に、本発明によれば、前記遮光部材は、前記すり割りの可撓性に影響を与えない間隔をもって前記連結環に対し離間して設けられたことを特徴としている。そのため、パターンプロジェクタの口径と撮影レンズ装置の口径との差を吸収して取り付けるように環状装着部及び連結環を撓ませるときに、その撓み力に影響を与えることが無く、パターンプロジェクタを撮影レンズ装置に確実に取り付けることができる。
【００１５】
【発明の実施の形態】
以下添付図面に従って本発明に係るパターンプロジェクタの好ましい実施の形態について詳述する。
【００１６】
図１は、実施の形態のパターンプロジェクタ１０が、シネマ用レンズ装置１２に装着される直前の状態を示した図である。
【００１７】
シネマ用レンズ装置１２は、鏡胴本体１４にフォーカスリング１６、ズームリング１８、アイリスリング２０、及びフランジバック調整用リング２２がそれぞれ回動自在に設けられている。フォーカスリング１６に取り付けられた操作棒２４によって、フォーカスリング１６を手動で回動操作することにより、不図示のフォーカスレンズが光軸方向に移動され、フォーカシングが行われる。また、ズームリング１８に取り付けられた操作棒２６によって、ズームリング１８を手動で回動操作することにより、不図示のズームレンズが光軸方向に移動され、ズーミングが行われる。さらに、アイリスリング２０を回動操作すると、不図示の絞り装置が駆動され、絞り値が所望の値に設定される。
【００１８】
フランジバック調整用リング２２は、図１上で破線で示したマスターレンズ２８を光軸方向に移動させてフランジバック調整を行うための操作リングであり、パターンプロジェクタ１０によるフランジバック調整時等に回動操作される。このように構成されたシネマ用レンズ装置１２は、そのマウント部３０がカメラ３２のマウント部３４に連結されることにより、カメラ３２に取り付けられる。
【００１９】
パターンプロジェクタ１０は、筒状に形成されたプロジェクタ本体４０を有し、プロジェクタ本体４０の基端部には、レンズ装着用アダプタ４２がねじ環４４を介して連結されている。
【００２０】
プロジェクタ本体４０の前端部は封止されており、その前端部から基端部に向けて光源４６、図２に示すジーメンススター４８の模様が印刷されたテストパターン板５０、及び図１のコリメータレンズ５２、５２が順に配置されている。これにより、パターンプロジェクタ１０は、光源４６にてテストパターン板５０を照射し、テストパターン板５０を透過したジーメンススター４８の透過光をコリメータレンズ５２、５２によって平行光線束にし、これをシネマ用レンズ装置１２に導くことができる。
【００２１】
パターンプロジェクタ１０によるフランジバック調整方法は、まず、パターンプロジェクタ１０をシネマ用レンズ装置１２に、レンズ装着用アダプタ４２を介して装着する。次に、レンズ装置１２のズームレンズをテレ端に移動させた状態で、光源４６を点灯し、テストパターン板５０を照射してテストパターン板５０を透過したジーメンススター４８の透過光をコリメータレンズ５２、５２によって平行光線束にし、これをシネマ用レンズ装置１２に導き、カメラ３２のＣＣＤ３３で撮像する。そして、ＣＣＤ３３で撮像されたジーメンススター像を、カメラ３２のビューファインダ（不図示）、又はディスプレイ（不図示）で観察しながら、レンズ装置１２のフォーカスレンズを移動させてピントを合わす。次に、レンズ装置１２のズームレンズをワイド端に移動させ、この状態でＣＣＤ３３で撮像されたパターン像を、カメラ３２の前記ビューファインダ又は前記ディスプレイで観察しながら、レンズ装置１２のフランジバック調整用リング２２を回動操作し、マスターレンズ２８を光軸方向に移動させてピントを合わす。これにより、フランジバック調整が終了する。
【００２２】
レンズ装着用アダプタ４２は、図３に示すように略漏斗状に形成され、直筒のプロジェクタ本体４０（図１参照）にねじ連結される雄ねじ５５が形成された環状部５４と、プロジェクタ本体４０をシネマ用レンズ装置１２の鏡胴前端部１３（図１参照）に装着するための環状装着部５６と、図４の如く環状部５４の口径φｄ（プロジェクタ本体４０の口径）と環状装着部５６の口径φＤとの差を吸収する略円錐状の連結環５８とから構成される。
【００２３】
また、図３の如く環状装着部５６から連結環５８にわたって、複数本のすり割り６０、６０…が所定の間隔をもって形成されている。更に、連結環５８の内側には、図４の如く略漏斗状に形成された遮光板６２が、すり割りより内径位置においてすり割りの可撓性に影響を与えない間隔をもって、その基部でレンズ装着用アダプタ４２にねじ連結され、この遮光板６２によって、すり割り６０、６０から入射する外来光が遮光されている。
【００２４】
更に、環状装着部５６の外周部には、Ω状に形成された締付リング（圧接部材）６４が嵌着されている。締付リング６４の離間片６５、６５に螺合されたねじ６６を締め付け方向に回すと、離間片６５、６５が接近していくので、環状装着部５６がすり割り６０、６０…により縮径していき、環状装着部５６の内周面がレンズ装置１２の鏡胴前端部１３に圧接される。これにより、パターンプロジェクタ１０がレンズ装置１２の鏡胴前端部１３に取り付けられる。レンズ装着用アダプタ４２は、金属、プラスチック等材料は問わないが、前述の如く縮径可能な材料で製造されている。また、すり割り６０の本数に関しては、環状装着部５６を縮径させてレンズ装置１２の鏡胴前端部１３に圧接させる観点から、少なくとも等間隔で３ヶ所形成されていればよい。
【００２５】
このように構成されたパターンプロジェクタ１０によれば、環状装着部５６を締付リング６４によって縮径したときに、すり割り６０、６０…によって変形する部分は、環状装着部５６だけではない。すなわち、すり割り６０、６０…が環状装着部５６のすり割り６０Ａから連結環５８のすり割り６０Ｂにわたって長く形成されていることから、連結環５８を含めて変形する。
【００２６】
これにより、環状装着部５６は、図５の如く二点鎖線で示す元の姿勢から実線で示すように縮径していくが、このときの環状装着部５６の回動半径（≒すり割りの長さ）Ｒは、図７に示した従来のパターンプロジェクタの回動半径（≒すり割りの長さ）ｒよりも長くなる。よって、環状装着部５６は、レンズ装置１２の鏡胴前端部１３に対して面接触する元の姿勢を保持した状態で図５の如く縮径する。したがって、レンズ装置１２に対する環状装着部５６の圧接部が面接触となるので、パターンプロジェクタ１０をレンズ装置１２に安定して装着することができる。
【００２７】
また、パターンプロジェクタ１０によれば、連結環５８に形成したすり割り６０Ｂ、６０Ｂ…から入射する外来光を遮光板６２によって遮光している。
【００２８】
すり割り６０において、環状装着部５６に形成されたすり割り６０Ａは、環状装着部５６がレンズ装置の鏡胴前端部１３に圧接されることから、鏡胴前端部１３が遮光部材として機能するので、このすり割り６０Ａからは外来光は入射しない。
【００２９】
しかしながら、連結環５８の内側には何も存在しないため、連結環５８に形成されたすり割り６０Ｂからは外来光が入射し、これがレンズ装置１２に入射してフランジバック調整に悪影響を与える。そこで、実施の形態のパターンプロジェクタ１０は、連結環５８に形成したすり割り６０Ｂから入射する外来光を、遮光板６２によって遮光した。したがって、パターンプロジェクタ１０によれば、フランジバック調整を正確に実施できる。
【００３０】
また、パターンプロジェクタ１０によれば、遮光板６２を連結環５８の内側に設けているので、パターンプロジェクタ１０の小型化を計ることができ、かつ、遮光板６２が外部に露出していないので他の部材に引っ掛かる等の不具合はなく取り扱いも容易になる。
【００３１】
また、遮光板６２は、すり割りの可撓性に影響を与えない基部に固着され、すり割りに対して隙間をあけて配置されているため、パターンプロジェクタ１０をレンズ装置１２に確実に取り付けることができる。
【００３２】
なお、遮光板６２自体が可撓性を有し、すり割りの可撓性に影響を与えない材質のものであれば、すり割りに対して間隔をあけず、直接固着してもよい。
【００３３】
また、実施の形態では、プロジェクタ本体４０とレンズ装着用アダプタ４２とを別体としたが、レンズ装着用アダプタ４２をプロジェクタ本体４０と一体形成してもよい。
【００３４】
更に、遮光部材としては、図１で示した遮光板６２に限定されるものではなく、連結環５８の外周部を覆うように例えば蛇腹状に形成された遮光布からなる遮光部材でも適用でき、また、すり割り６０を塞ぐようにすり割り６０に遮光布又はブラシ等の遮光部材を取り付けてもよい。更に、すり割りの形状を例えば断面において迷路状に形成することにより、その迷路を形成する凹凸部が遮光部材として機能する。この場合、遮光部材を連結環５８と一体形成できるので、別体の遮光部材を設けなくてもよいという利点がある。要するに、すり割り６０から入射する外来光を遮光する機能があるものであれば、如何なる遮光部材でも適用できる。
【００３５】
また、レンズ装着用アダプタ４２の連結環形状は、図３に示した略円錐状に限定されるものではなく、例えば図６のレンズ装着用アダプタ４２の連結環５８Ａの如く段付き形状に形成してもよい。
【００３６】
【発明の効果】
以上説明したように本発明に係るパターンプロジェクタによれば、環状装着部から連結環にわたって、複数本のすり割りを所定の間隔をもって形成したので、撮影レンズ装置に対する環状装着部の圧接部が面接触となり、パターンプロジェクタを撮影レンズ装置に安定して装着することができる。また、本発明によれば、連結環に形成したすり割りから入射する外来光を遮光部材によって遮光したので、フランジバック調整を正確に実施できる。
【００３７】
更に、本発明によれば、遮光部材を連結環の内側に設けているので、パターンプロジェクタの小型化を計ることができ、取り扱いも容易になる。
【００３８】
また、本発明によれば、前記遮光部材は、すり割りの可撓性に影響を与えない間隔をもって前記連結環に対し離間して設けられているため、環状装着部及び連結環を撓ませるときに、その撓み力に影響を与えることが無く、パターンプロジェクタを撮影レンズ装置に確実に取り付けることができる。
【図面の簡単な説明】
【図１】シネマ用レンズ装置に装着される実施の形態のパターンプロジェクタの側面図
【図２】図１のパターンプロジェクタに適用されたテストパターン板の正面図
【図３】図１のパターンプロジェクタのレンズ装着用アダプタの斜視図
【図４】図１のレンズ装着用アダプタの要部断面図
【図５】図１のパターンプロジェクタがレンズ装置に装着された状態を示す模式図
【図６】レンズ装着用アダプタの他の実施の形態を示す要部断面図
【図７】従来のパターンプロジェクタがレンズ装置に装着された状態を示す模式図
【符号の説明】
１０…パターンプロジェクタ、１２…シネマ用レンズ装置、１４…鏡胴本体、２２…フランジバック調整用リング、２８…マスターレンズ、３２…カメラ、４０…プロジェクタ本体、４２…レンズ装着用アダプタ、４４…ねじ環、４６…光源、４８…ジーメンススター、５０…テストパターン板、５２…コリメータレンズ、５４…環状部、５６…環状装着部、５８、５８Ａ…連結環、６０…すり割り、６２…遮光板、６４…締付リング
【図１】
2004309649.tif 000003
【図２】
2004309649.tif 000004
【図３】
2004309649.tif 000005
【図４】
2004309649.tif 000006
【図５】
2004309649.tif 000007
【図６】
2004309649.tif 000008
【図７】
2004309649.tif 000009